(57)【要約】【課題】  収納状態と撮影状態の間で、第１のガイドバー３０１、第２のガイドバー１０２が相対的に光軸方向に移動する沈胴式のレンズ鏡筒において、撮影時の像揺れを抑制しつつ、収納時の全長を短縮する。【解決手段】  バリア６０が光路から退避した場合、バリア６０と第１のガイドバー３０１は、光軸方向から見て重なり、光軸と直交する方向から見て光軸方向に重ならず、バリア６０が光路に進入した場合、バリア６０と第１のガイドバー３０１は、光軸方向から見て重ならず、光軸と直交する方向から見て光軸方向に重なることを特徴とする。【選択図】  図５
2015210284.tif 000002
【特許請求の範囲】
【請求項１】
光学素子を保持し、第１の被案内部及び第２の被案内部を有する保持部材と、
前記保持部材を光軸方向に移動させる駆動部材と、
前記第１の被案内部を光軸方向に案内する第１の案内部材と、
前記第１の案内部を保持し、光軸方向に移動可能な第１の鏡筒と、
前記第２の被案内部を光軸方向に案内する第２の案内部材と、
前記第２の案内部を保持する第２の鏡筒と、
前記第１の鏡筒の移動と連動して閉状態と開状態の間で状態変化する遮蔽部材と、
前記遮蔽部材が光路から退避した場合、前記第２の案内部材と前記遮蔽部材が光軸方向から見て重なり、光軸と直交する方向から見て光軸方向に重ならず、
前記遮蔽部材が光路に進入した場合、前記第２の案内部材と前記遮蔽部材が光軸方向から見て重ならず、光軸と直交する方向から見て光軸方向に重なることを特徴とするレンズ鏡筒。
【請求項２】
撮影状態である場合、前記第２の案内部材と前記遮蔽部材が光軸方向から見て重なり、光軸と直交する方向から見て光軸方向に重ならず、
収納状態である場合、前記第２の案内部材と前記遮蔽部材が光軸方向から見て重ならず、光軸と直交する方向から見て光軸方向に重なることを特徴とする請求項１に記載のレンズ鏡筒。
【請求項３】
前記光学素子を通過した光束を撮像する撮像手段を備え、
収納状態である場合、前記第１の案内部と前記撮像手段は、光軸方向から見て重ならず、光軸と直交する方向から見て光軸方向に重なり、
撮影状態である場合、光軸方向から見て重ならず、光軸と直交する方向から見て光軸方向に重ならないことを特徴とする請求項１又は２に記載のレンズ鏡筒。
【請求項４】
前記撮像手段は長方形の形状をしており、
収納状態である場合、前記第１の案内部材と前記撮像手段は、光軸方向から見て重ならず、光軸および前記撮像手段の短辺と直交する方向から見て重ならないことを特徴とする請求項３に記載のレンズ鏡筒。
【請求項５】
請求項１乃至４の何れか一項に記載のレンズ鏡筒を有する撮像装置。
【発明の詳細な説明】
【技術分野】
【０００１】
本発明は、デジタルビデオ、デジタルスチル等に使用する沈胴構造のレンズ鏡筒に関するものである。
【背景技術】
【０００２】
デジタルビデオでは、ズーム時に像揺れを抑制するために、ガイドバーを用いてレンズ枠を保持する構造が知られている。これは平滑なガイドバーによりレンズを案内することで、スムーズな動きが得られるためである。この時、レンズ枠の保持部をガイドバーの長手方向に距離を長く設置することで、レンズ枠の倒れを規制し、より像揺れを発生しにくくすることができる。しかし、保持部を長くした結果、ガイドバーが長くなり、小型化を阻害する原因となる。特許文献１では、ビデオカメラ用の沈胴型のレンズ鏡筒にて、複数のガイド軸およびリニアモータを用いた可動部材の駆動機構が開示されている。
【先行技術文献】
【特許文献】
【０００３】
【特許文献１】特開平８−９４９０５号公報
【発明の概要】
【発明が解決しようとする課題】
【０００４】
特許文献１に開示の構成では、収納状態の鏡筒の全長は、ズームレンズを保持するガイドバーの長さより短くすることはできない。さらにビデオカメラ等においては、もっとも被写体に近いレンズを保護するバリアを備えることが多く、その厚み分も鏡筒の全長に加わり、全長が長くなってしまうという課題がある。
【０００５】
本発明の目的は、光軸方向に移動する光学素子およびその駆動機構を備えるレンズ鏡筒において、撮影時の像揺れを抑制しつつ、その収納状態でのレンズ鏡筒の全長を短縮することである。
【課題を解決するための手段】
【０００６】
光学素子を保持し、第１の被案内部及び第２の被案内部を有する保持部材と、
前記保持部材を光軸方向に移動させる駆動部材と、
前記第１の被案内部を光軸方向に案内する第１の案内部材と、
前記第１の案内部を保持し、光軸方向に移動可能な第１の鏡筒と、
前記第２の被案内部を光軸方向に案内する第２の案内部材と、
前記第２の案内部を保持する第２の鏡筒と、
前記第１の鏡筒の移動と連動して閉状態と開状態の間で状態変化する遮蔽部材と、
前記遮蔽部材が光路から退避した場合、前記第２の案内部材と前記遮蔽部材が光軸方向から見て重なり、光軸と直交する方向から見て光軸方向に重ならず、
前記遮蔽部材が光路に進入した場合、前記第２の案内部材と前記遮蔽部材が光軸方向から見て重ならず、光軸と直交する方向から見て光軸方向に重なることを特徴とする。
【発明の効果】
【０００７】
本発明によれば、レンズ鏡筒において、撮影時の像揺れを抑制しつつ、収納状態でのレンズ鏡筒の全長を短縮することができるようになった。
【図面の簡単な説明】
【０００８】
【図１】実施例１におけるレンズ鏡筒の分解説明図
【図２】実施例１におけるレンズ鏡筒の正面図、側面図、および背面図
【図３】実施例１におけるレンズ鏡筒の断面図
【図４】実施例１における収納状態と撮影可能な状態の切り替えを示すフローチャート
【図５】実施例１における収納状態と撮影可能な状態の切り替え時の状態図
【図６】従来例と実施例１の全長を比較するレンズ鏡筒の断面図
【発明を実施するための形態】
【０００９】
以下に、本発明の好ましい実施の形態を、添付の図面に基づいて詳細に説明する。本発明は、ズームレンズやフォーカスレンズなどの光学素子を光軸方向へ移動させる機構部を有するレンズ鏡筒や、レンズ鏡筒を用いた撮像装置に適用可能である。
【実施例１】
【００１０】
（構成）
図１、図２を用いて、本発明の実施例の構成を説明する。光学素子であるレンズ５０は、保持枠４０にカシメや接着などにより取りつけられている。保持枠４０は、ガイド穴４０１、４０２を有し、ガイドバー３０１ａ、１０２ａにより案内されることで、光軸方向に進退することができる。
【００１１】
ガイド穴４０１は、光軸方向に見て、レンズ５０と近い位置に設定してあり、主に光軸に対するレンズ５０の偏芯位置を決定する。ガイド穴４０２は、光軸方向にみて、レンズ５０から遠い距離に設定してあり、主に光軸に対するレンズ５０の倒れ位置を決定する。
【００１２】
切り欠き４０３は、ガイド穴４０１、４０２から離れた位置に設置されている。切り欠き４０３は、保持枠４０がガイド穴４０１、４０２とガイドバー３０１ａ、１０２ａとの嵌合ガタ等により保持枠４０が光軸と直交する方向に偏芯することを防止する。
【００１３】
具体的には、切り欠き４０３は、ガイドバー３０３ａを挟み込みながら保持枠４０が進退することで、光軸に対する偏芯位置を決定している。ガイドバー３０１ａ、１０２ａ、３０３ａはステンレス等から成る光軸方向に延出した円柱形状をしている。
【００１４】
円柱の表面は平滑な処理をされている。このように、ガイドバーにより保持枠４０が案内されることで、保持枠４０はスムーズに動作することが可能で、像揺れを抑制することが可能である。
【００１５】
４３は保持枠４０に設置された検出羽根であり、保持枠４０が光軸方向に移動してフォトインタラプタ１３の位置を通過すると、電気信号出力が変化し、保持枠４０の位置を特定することができる。
【００１６】
直進筒３０は、略円筒形状をしており、ガイドバー３０１ａ、３０３ａのそれぞれ両端を保持部材３０１ｂ、３０３ｂにより保持している。ガイドバー３０１ａと保持部材３０１ｂを合わせて第１の案内部材３０１と称する。
【００１７】
同様にガイドバー３０３ａと保持部材３０３ｂを合わせて第３の案内部材３０３と称する。本実施例では保持部材３０１ｂ、３０３ｂが直進筒３０と一体の部品のように描かれているが、組み立てを考慮して、それぞれの端を保持する部分を別の部品としてもよい。
【００１８】
直進筒３０は、円筒面上に半径方向に突出したカムフォロア３１を有する。続いてカム筒２０は、略円筒形状をしており、直進筒３０の外側に配置されている。カム筒２０は、カム溝２１を有しカムフォロア３１と係合している。
【００１９】
カム筒２０が回転することによって、カム溝２１に沿ってカムフォロア３１が光軸方向に移動する。その結果、カム筒３０の回転に伴い、直進筒３０が光軸方向に進退することができる。カム筒２０の内径部には周上にテレンプ２２が設置されている。
【００２０】
カム筒２０の回転時には、このテレンプ２２が直進筒３０の外形と当接し、不要光が後述の撮像手段へ届くことを防止できる。
【００２１】
また、直進筒３０の外径とカム筒２０の略円筒部の内径は、カム筒２０の回転中に接触することがない。これにより、直進筒３０の外径に摺れ傷をつけることなく外観の品位を保つことができる。
【００２２】
カム筒２０は、不図示の駆動部材としてのカム筒用モータにより回転させる。カム筒用モータとしては、例えばステッピングモータを使用することで、指令値から実施の回転位置を推定することができる。
【００２３】
つまり、駆動部材としてのカム筒用モータへの指令値から直進筒３０が進退した位置を特定することが可能である。次に固定筒１０は、略円筒形状をしており、直進筒３０の内側に配置されている。固定筒１０に設置された抜け止め爪１１によりカム筒２０が光軸方向に移動しないよう規制している。
【００２４】
これにより、カム筒２０は光軸方向に移動せず定位置回転できることになる。直進溝１２は、固定筒１０の外径部に光軸に沿って設置されている。直進キー３２は、直進筒３０に設置され、直進溝１２とは微小な隙間を持って嵌合している。
【００２５】
これにより、直進筒３０は、カム筒２０の回転に連れられずにカム溝２１に沿って光軸方向に進退ができる。ガイドバー１０２ａは、両端を保持部材１０２ｂにより保持された状態で固定筒１０に設置されている。
【００２６】
案内部材であるガイドバー１０２ａと保持部１０２ｂを合わせて第２の案内部材１０２と称する。ここで、固定筒１０の外径部に設置されている直進筒３０に設置された保持部３０１ｂは、固定筒１０の外径より内側に設置されている。
【００２７】
このため、固定筒１０には、切り欠き１５が設けられ、直進筒３０と固定筒１０の干渉を回避している。
【００２８】
前カバー７０は、ドーナツ形状をした部品で、直進筒３０に設置されている。前カバー７０の中央の開口は、被写体からの光束を妨げずに、かつ不要な光束がレンズ鏡筒に入射することを制限するような大きさに設定されている。
【００２９】
この中央の開口を光路と呼ぶ。また前カバー７０は、バリア６０を覆うように設置され、レンズ鏡筒の外側からバリア６０へ触れづらくする機能も有している。次に直進筒３０の被写体に近い一部に回転軸６３が設置してある。
【００３０】
遮光部材であるバリア６０は、回転軸６３を回転中心として回転可能に設置されている。収納状態においては、バリア６０は光路に進入した位置に配置され、レンズ５０を保護する働きを持っている。
【００３１】
遮光部材であるバリア６０は、収納状態で閉状態となり、撮影状態で開状態となるように状態変化する。
【００３２】
この状態をバリア６０が閉じていることから閉状態と呼ぶ。逆に撮影可能な状態においては、バリア６０はレンズ５０へ入射する光束を妨げないように光路からレンズ鏡筒の外周側へ退避した状態に回転して移動する。
【００３３】
この状態をバリア６０が開いているので開状態と呼ぶ。バリア６０を回転させる駆動源としては、不図示の専用モータ等を設置することも可能であるが、カム環２０の回転と連動するリンク機構等を使ってもよい。
【００３４】
８０はモータで、軸の先端にピニオンギア８０ａが設置されている。駆動部材としてのモータはステッピングモータ等を用いて、回転命令に対する回転量を把握しておくことが可能である。
【００３５】
モータ８０が回転すると、先端に取り付けられたピニオンギア８０ａが回転し、送りねじ８０７ａと同軸に設置されたギア８０７ｂとかみ合い、送りねじ８０７ａを回転させる。
【００３６】
送りねじ８０７ａが、保持枠４０に設置されたラック４０２と螺篏することで、送りねじ８０７ａの回転を保持枠４０の直進へ変換することができる。つまり、モータ８０の回転により保持枠４０を光軸方向に進退することができる。
【００３７】
９０は撮像手段で、レンズ５０を通過した光束が結像し画像を電気信号へ変換する部分である。撮像手段９０には、光電変換を行う素子部の他、赤外光をカットする光学フィルタやごみ防止の保護ガラス等が含まれることもある。
【００３８】
撮像手段９０からの出力は、不図示の処理回路にて像を電気的に読み出すことで、像を記録することができる。撮像手段９０は、写真や映像のアスペクト比に合わせて、長方形の形状となることが多い。
【００３９】
本実施例においては、図２（ｅ）に示すように、短辺９０ａ、長辺９０ｂを設定している。図２（ｅ）は、光軸方向から見た図であり、第１の案内部材３０１と撮像手段９０は、光軸方向から見て重なっていない。
【００４０】
また、図２（ｃ）は、光軸および撮像素子９０の短辺９０ａと直交する方向から見た図である。第１の案内部材３０１と撮像手段９０は、光軸と直交する方向から見て、光軸方向に重なって配置されている。
【００４１】
一方、第１の案内部材３０１と撮像手段９０は、光軸および撮像素子９０の短辺９０ａと直交する方向から見ると重なっていない。
【００４２】
次に、レンズ鏡筒の状態を説明する。図２（ａ）、（ｃ）、（ｅ）はレンズ鏡筒が収納状態となっている図である。図２では、説明のために前カバー７０の表示を点線で示し、バリア６０等の部品が見える状態で描いている。
【００４３】
収納状態では、撮影を実施しないため、レンズ５０を保護するためにバリア６０が閉じてレンズ５０を覆った状態となっている。また、直進筒３０は被写体から遠い側へ繰り込み、光軸方向の全長が短い状態となっている。
【００４４】
撮像手段の当接面１９から前カバー７０までの長さを収納状態の全長として、寸法Ｌ３で示している。このとき、直進筒３０に設置されたバリア６０は、光軸方向に第２の案内部材１０２と重なるところまで繰り込んでいる。
【００４５】
つまり、収納状態においては、バリア６０が光路へ進入し、第２の案内部材１０２と遮蔽部材であるバリア６０が、光軸方向から見て重ならず、光軸と直交する方向から見て光軸方向に重なることになる。
【００４６】
これにより、第２の案内部材１０２とバリア６０が重ならない場合と比べて、より光軸方向の全長を短くすることが可能となっている。
【００４７】
次に同じく収納状態において、直進筒３０が被写体から遠い側に繰り込んだ結果、光軸と直交する方向から見た図２（ｃ）に示した。
【００４８】
図２（ｃ）の通り、第１の案内部材３０１は、固定筒１０の撮像手段の当接面１９より像側に飛び出して、光軸方向に断面９５の位置で、撮像手段９０と重なって配置されることになる。
【００４９】
つまり、第１の案内部材３０１と撮像手段９０は、光軸方向から見て重ならず、光軸と直交する方向から見て光軸方向に重なる。これにより、第１の案内部材３０１が撮像手段９０と光軸方向に重ならない場合と比較して、ガイドバー３０１ａの長さをより長くすることができ、保持枠４０の移動可能な距離を長く確保することが可能となる。
【００５０】
さらに、収納状態において、光軸方向から見た図２（ａ）にあるとおり、第１の案内部材３０１と撮像手段９０は、光軸方向に見て重ならない。
【００５１】
光軸および撮像手段の短辺９０ａと直交する方向からみた図２（ｃ）にあるとおり、第１の案内部材３０１と撮像手段９０が重なっていない。
【００５２】
これにより、撮像手段９０が長方形であることによる空間を有効に利用することができる。
【００５３】
次に図２（ｂ）、（ｄ）、（ｆ）を用いて、撮影可能な状態を説明する。撮影可能な状態では、レンズ５０を通過した光束がレンズ５０を通過するために、バリア６０はレンズ５０の光軸上から退避している。
【００５４】
また、直進筒３０は、被写体側へ繰り出した状態となっている。この状態では、バリア６０が退避したことで、光軸方向から見ると、バリア６０と第２の案内部１０２が重なった状態となっている。
【００５５】
しかし、直進筒３０が被写体側へ繰り出しているため、光軸と直交する面では重なっていないため干渉はしていない。つまり、第１の鏡筒である直進筒３０が被写体へ近い側へ移動した場合には、光軸方向からみて、第２の案内部１０２と遮蔽部材であるバリア６０が重なっている。
【００５６】
これにより、光軸と直交する方向にスペースを有効に利用できるため、小型化が可能となる。
【００５７】
撮影可能な状態における保持枠４０の進退について、図３を用いて説明する。図３（ｂ）、（ｃ）は、図３（ａ）の一点鎖線部の断面図である。
【００５８】
撮影可能な状態では、直進筒３０が被写体側に移動したことで、レンズ鏡筒の光軸方向の全長が長くなり、保持枠４０が移動できる空間が確保できている。保持枠４０は前述の通り、ガイド穴４０１および４０２がそれぞれガイドバー３０１ａ、１０２ａにより光軸方向に進退可能に保持されている。
【００５９】
さらに保持枠４０の光軸周りの回転を規制するためのガイド溝４０３がガイドバー３０３ａに保持されている。以上の３か所により保持枠４０の光軸に対する位置が決定する。
【００６０】
保持枠４０は、ガイドバー３０１ａ、１０２ａ、３０３ａの長さの範囲を移動できる。つまり、図３中の範囲Ａ４０５を移動可能である。
【００６１】
レンズ５０が撮像手段９０に対する距離を変化させてことで、ピント位置を調節することに使用可能であるが、別のレンズを追加することで、ズーム機能を持たせることも可能である。
【００６２】
以上のとおり、撮影可能な状態においては、ガイドバーの長さを有効に活用し保持枠４０の移動範囲を確保することが可能である。
【００６３】
次に、図４、図５を用いて、収納状態と撮影可能な状態の切り替え動作について説明する。図４は、収納状態から撮影可能な状態へ、もしくは撮影可能な状態から収納状態へ移行するシーケンスを示している。
【００６４】
図５（ａ）〜（ｃ）は、それぞれ左図が正面図であり、右図が光軸と直交した方向から見た断面図となる。ただし説明に必要な部品のみを描画し、その他の部品は省略している。
【００６５】
図４（ａ）は、収納状態から撮影可能な状態に至るシーケンスである。電源を入れるなどにより収納状態から撮影状態への切り替え命令が発効されると、図４（ａ）のシーケンスが開始される。Ｓ５１１では、カム環２０の回転が開始する。
【００６６】
Ｓ５１１の開始時点では、レンズ鏡筒は、図５（ａ）のような状態となっている。ここで、図５（ａ）〜（ｃ）は、それぞれ左側にバリア６０を光軸方向から見た図であり、右側に保持枠４０の表示を省いたレンズ鏡筒の断面図となっている。
【００６７】
Ｓ５１１の時点ではまだ収納状態となっており、図５（ａ）にあるようにバリア６０は閉じた状態となっている。また右の図のとおり、バリア６０と第２の案内部材１０２は、光軸と直交する断面において重なっている。
【００６８】
しかし、左の図のとおり光軸方向には重なっていない。図５（ａ）の右の図は、光軸および撮像手段９０の短辺と直交する方向から見た図であり、第２の案内部１０２と撮像手段９０が重ならずに配置されている。これにより、撮像手段の長方形の形状に合わせて、空間を有効に利用できる。
【００６９】
次に、カム環２０が回転を始めると、カム溝に沿って、直進筒３０の繰り出しが開始される（Ｓ５１２）。撮影時に必要となる所望の位置まで繰り出すとＳ５１３で繰り出しが完了する。この状態を示す図が図５（ｂ）である。
【００７０】
直進筒３０は撮影可能な状態と同じ位置まで繰り出している。一方で、バリア６０は、閉じた状態である。ただし、図５（ａ）とは異なり、バリア６０と第２の案内部材１０２は、光軸と直交する断面において重なっていない。
【００７１】
つまり、図５（ｂ）の状態において、バリア６０が開くことが可能な状態となっている。そこでＳ５１４へ進み、バリア６０開の動作を開始しＳ５１５でバリア６０が完全に開いた状態となった後に、Ｓ５１１６でカム環２０の回転が停止し、撮影可能な状態へ至るシーケンスが完了する。
【００７２】
この状態では、図５（ｃ）のような状態となっており、直進筒３０は繰り出しており、バリア６０は開いた状態となっている。左の図のとおり、光軸方向からみると、バリア６０と第２の案内部１０２は重なっているが、右の図のとおり、光軸と直交する断面においては重なっていない。
【００７３】
撮影可能な状態では、保持枠４０が自由に進退できるようになっており、任意の位置で撮影が可能である。
【００７４】
次に撮影可能な状態から収納状態へ至るシーケンスを図４（ｂ）を用いて説明する。電源を切るなどの動作により撮影可能な状態から収納状態への切り替え命令が発効されると、図４（ｂ）のシーケンスが開始される。
【００７５】
Ｓ５２２では、カム環２０の回転が開始する。Ｓ５２２の開始時点では、図５（ｃ）の撮影可能な状態となっている。直進筒３０は繰り出し、バリア６０は開いた状態である。
【００７６】
次にＳ５２２でバリア閉の動作を開始し、Ｓ５２３でバリア閉の動作を完了すると、図５（ｂ）の状態に至る。直進筒３０は繰り出したままであるが、バリア６０は閉じた状態である。
【００７７】
バリア６０が閉じたことにより、バリア６０と第２の案内部材１０２は光軸方向からみて重なっていない。次にＳ５２４で直進筒３０の繰り込みを開始する。前述のとおり、バリア６０が閉じていることにより、干渉することなく直進筒３０の繰り込みが可能である。
【００７８】
収納状態の位置まで繰り込むとＳ５２５で繰り込みが完了する。さらにＳ５２６でカム環２０の回転が停止し、収納状態へと至りシーケンスが完了する。
【００７９】
以上のようなシーケンスで収納状態と撮影可能な状態を切り替えることで、遮蔽部材であるバリア６０は、第１の鏡筒である直進筒３０の進退と連動して閉状態と開状態を移動することになる。
【００８０】
このように連動することによって、バリア６０と第２の案内部材１０２が干渉することなく切り替え可能となる。本実施例では、直進筒３０の進退とバリア６０の開閉が完全に別のタイミングとなっている。
【００８１】
しかし、バリア６０と第２の案内部材１０２が干渉さえしない範囲であれば、直進筒３０が少し繰り出した状態で、同時にバリア６０の開閉動作が行われてもよい。
【００８２】
全長の短縮に関して、光軸と直交する方向から見た図６を用いて従来例と比較する。図６（ａ）は、従来例と同等のレンズ鏡筒を示している。固定筒１１０内にレンズ枠１４０がおさめられており、レンズ枠１４０は、ガイドバー１３０１により案内される構造である。またバリア１６０を有している。
【００８３】
このように従来構造では、撮像手段の当接面１１９から、レンズ鏡筒の被写体側までの長さを全長とし、従来構造ではＬ０となる。続いて図６（ｂ）は、本実施例の撮影可能な状態における模式図である。
【００８４】
この時の全長は、同じく撮像手段の当接面１１９からレンズ鏡筒の被写体側までの長さを全長として、Ｌ１となっている。従来例と本実施例において、レンズ枠１４０および４０の光軸方向の移動量を同じに設定すると、全長は同じとなり、Ｌ０＝Ｌ１が成立する。
【００８５】
次に図６（ｃ）は、本実施例において、撮影可能な状態から直進筒３０が像側へ繰り込み、第２の案内部材とバリア６０が重なる手前で直進筒３０の繰り込みを止めた状態である。
【００８６】
仮にこの状態を収納状態とした場合すると、仮の収納状態における全長はＬ２ということになり、Ｌ２＜Ｌ０となり、従来例に対して全長が短縮できている。
【００８７】
つまり、図３に示す通り、第１の被案内部であるガイド穴４０１および第２の被案内部である４０２を有する保持枠４０を有する。
【００８８】
そして、ガイド穴４０１が第１の鏡筒である直進筒３０に設置されている第１の案内部材３０１で案内され、ガイド穴４０２が第２の鏡筒である固定筒１０に設置されている第２の案内部１０２で案内される。
【００８９】
これにより、保持枠４０は第１の案内部３０１および第２の案内部１０２によりスムーズに案内され、像揺れを抑制できる。また、収納時の全長を短縮することができる。
【００９０】
次に図６（ｄ）は、図６（ｃ）の状態よりさらに直進筒３０を像側に繰り込み、バリア６０と第２の案内部材１０２が、光軸方向の断面６５において重なる状態まで繰りこんでいる。この状態が図５（ａ）と同様に本実施例における収納状態である。
【００９１】
この時、撮像手段の当接面１９からレンズ鏡筒の被写体側までの全長はＬ３となる。Ｌ３＜Ｌ２であり、図６（ｄ）では、図６（ｃ）の状態より、さらに全長が短縮できている。
【００９２】
つまり、第２の案内部材１０２と遮蔽部材であるバリア６０が、バリア６０が光路から退避した時は、図５（ｃ）の左図ように光軸方向から見て重なり、図５（ｃ）の右図のように光軸と直交する方向から見て断面６５において光軸方向に重ならない。
【００９３】
バリア６０が光路に進入した時は、図５（ａ）の左図のように光軸方向から見て重ならず、図５（ａ）の右図のように光軸と直交する方向から見て断面６５の位置で光軸方向に重なることになる。これにより、さらに収納時の全長を短縮することが可能となる。
【００９４】
以上より、光軸方向に移動する光学素子およびその駆動機構を備えるレンズ鏡筒において、撮影時の像揺れを抑制しつつ、その収納状態での全長を短縮することが可能となる。
【符号の説明】
【００９５】
１０  固定筒（第２の鏡筒）
１０２  第２の案内部材
２０  カム筒（第３の鏡筒）
３０  直進筒（第１の鏡筒）
３０１  第１の案内部材
３０３  第３の案内部材
４０  保持枠
４０１  ガイド穴（第１の被案内部）
４０２  ガイド穴（第２の被案内部）
４０３  ガイド穴（第３の被案内部）
５０  レンズ（光学素子）
６０  バリア（遮蔽部材）
８０  モータ（駆動部）
９０  撮像手段
【図１】
2015210284.tif 000003
【図２】
2015210284.tif 000004
【図３】
2015210284.tif 000005
【図４】
2015210284.tif 000006
【図５】
2015210284.tif 000007
【図６】
2015210284.tif 000008